(57)【特許請求の範囲】
【請求項１】
複数本の電線からなるワイヤハーネスを挿通する金属製のパイプと、該パイプ内に挿入して組み付ける別体の金属製の仕切材を備え、
前記仕切材と前記パイプの外周壁とで仕切られる複数の電線挿通空間を該パイプの軸線方向に連続して設けており、
前記仕切材の各仕切板の外周端を嵌め込む嵌合凹部を前記パイプの内周面に軸線方向に延在させて設けていると共に、該嵌合凹部を前記パイプの内周面に周方向に一定ピッチで設け、任意の位置の前記嵌合凹部に前記仕切板の外周端を嵌め込むようにし、これら嵌合凹部は両側面が開口側に向けて外広がりとなる台形状の凹部としていることを特徴とするワイヤハーネス用の外装材。
【請求項２】
前記パイプおよび仕切材はアルミニウム系金属等の溶融金属を押出成形して設けており、前記パイプは中空部を囲む外周壁のみからなる断面円形、長円または楕円形状とし、前記仕切材は複数の仕切板を放射状に結合した形状または複数の仕切板を連結板から櫛歯を突設した形状としている請求項１に記載のワイヤハーネス用の外装材。
【請求項３】
前記仕切材で仕切られた複数の電線挿通空間に前記ワイヤハーネスの電線を分割して挿通し、該挿通した電線と仕切材とに粘着テープまたは結束バンドを巻き付けて固着し、該電線を保持した仕切材を前記パイプに挿通している請求項１または請求項２に記載のワイヤハーネス用の外装材。
【請求項４】
前記仕切板の長さ方向に間隔をあけて外周に巻付用切欠を設けている請求項３に記載のワイヤハーネス用の外装材。
【請求項５】
複数本の電線からなるワイヤハーネスを挿通する金属製のパイプと、該パイプ内に挿入して組み付ける別体の金属製の仕切材を備え、
前記仕切材と前記パイプの外周壁とで仕切られる複数の電線挿通空間を該パイプの軸線方向に連続して設けており、
前記パイプの全長を絞り加工（スウェージング加工）または少なくとも長さ方向の両端を部分的に加締め加工し、該パイプの内周面に仕切材の外周端を圧接固定しているワイヤハーネス用の外装材。
【請求項６】
請求項１乃至請求項５のいずれか１項に記載の前記仕切材で仕切られた空間にワイヤハーネスの分割した電線を挿通して、該電線と仕切材とをテープまたは結束バンドで固着し、
ついで、前記電線を保持した仕切材を前記パイプに挿通し、
ついで、パイプを絞り加工または部分加締め加工して前記仕切材とパイプとを固定し、 その後、ワイヤハーネスの配索形態に対応してパイプに曲げ加工を施すワイヤハーネスへの外装材の装着方法。
【発明の詳細な説明】
【技術分野】
【０００１】
本発明はワイヤハーネス用の外装材に関し、詳しくは、電気自動車またはハイブリッド自動車において床下配索する高圧電線を含むワイヤハーネスを挿通するパイプに関する。
【背景技術】
【０００２】
従来、ハイブリッド自動車や電気自動車では、バッテリとインバータとの間やインバータとモータとの間などに配索されるワイヤハーネスは、ノイズ発生源となる高圧電線が含まれるためフロアパネル下方の床下に配索し、床下配索領域ではワイヤハーネスの保護と高圧電線のシールド対策として金属製のパイプに挿通して配線している場合がある。
【０００３】
例えば、特開２００４−２２４１５６号公報（特許文献１）で提供されたケーブル保持構造では、自動車のリア側に搭載されたインバータとエンジンルームに搭載されたモータとを接続する３相の高圧ケーブルからなるワイヤハーネスを床下配線し、該床下配線領域では各高圧ケーブルを一本づつ金属製の保護パイプに挿通している。
【０００４】
また、特開２０１１−１４６２２８号公報（特許文献２）で提供されたシールド導電路は図１２に示すように、金属パイプ１００は外周壁１０１の内面から仕切材１０２を一体的に突設し、仕切材１０２で仕切った複数の挿通空間１０３内にワイヤハーネスを構成する電線１０５を分けて挿通している。即ち、電線１０５は高圧電線からなる動力電線１０５Ａと弱電系の電線１０５Ｂとに分割して挿通空間１０３に挿通し、動力電線１０５Ａから発生する電磁ノイズの影響を弱電系の電線１０５Ｂが受けることを低減、防止している。
【先行技術文献】
【特許文献】
【０００５】
【特許文献１】特開２００４−２２４１５６号公報
【特許文献２】特開２０１１−１４６２２８号公報
【発明の概要】
【発明が解決しようとする課題】
【０００６】
前記特許文献２に開示されたように１つの金属パイプ１００内に複数の電線からなるワイヤハーネスを挿通すると、金属パイプ１００が１本だけでよいため、軽量化、コスト低減などのメリットがある。該金属パイプは溶融金属を押出成形して製造され、仕切材を設けた金属パイプも外周壁と仕切材とを一体で押し出して製造される。
【０００７】
前記金属パイプは外周壁は仕切材と比較して厚肉として保護機能を高め、仕切材は薄肉として分割した挿通空間の容積を大とすることが好ましい。しかしながら、溶融金属を押出成形して部分的に肉厚を変えることは容易ではなく、精度が出にくい問題があり、かつ、仕切材の肉厚を余り薄く作ることは困難である。さらに、金属パイプの外径は同じで仕切材の肉厚を変更したい場合、仕切材の形状を変更したい場合、逆に仕切材は同一で外周壁の肉厚を変更したい場合など、製造用の押出ダイスを新規に起工しなければならず、製造コストが高くなる問題がある。
【０００８】
また、仕切材を設けると１本の金属パイプ内に挿通する電線同士のノイズの影響を低減防止できる利点はあるが、外径を変更せずに仕切材を設けると挿通空間の容積は減少し、電線を挿通しにくくなりやすく、かつ、挿通時に電線被覆層が仕切材または外周壁に接触して損傷が生じる恐れがある。
【０００９】
本発明は前記問題に鑑みてなされたもので、複数本の電線群からなるワイヤハーネスを挿通する金属パイプからなるワイヤハーネス用の外装材において、該金属パイプ内に配置する仕切材の肉厚を金属パイプの肉厚と容易に相違させて薄くできると共に、仕切材の形状変更も容易にでき、かつ、仕切材を備えた金属パイプ内にワイヤハーネスの電線を分割して容易に挿通できるようにすることを課題としている。
【課題を解決するための手段】
【００１０】
前記課題を達成するため、第１の本発明は、複数本の電線からなるワイヤハーネスを挿通する金属製のパイプと、該パイプ内に挿入して組み付ける別体の金属製の仕切材を備え、
前記仕切材と前記パイプの外周壁とで仕切られる複数の電線挿通空間を該パイプの軸線方向に連続して設けており、
前記仕切材の各仕切板の外周端を嵌め込む嵌合凹部を前記パイプの内周面に軸線方向に延在させて設けていると共に、該嵌合凹部を前記パイプの内周面に周方向に一定ピッチで設け、任意の位置の前記嵌合凹部に前記仕切板の外周端を嵌め込むようにし、これら嵌合凹部は両側面が開口側に向けて外広がりとなる台形状の凹部としていることを特徴とするワイヤハーネス用の外装材を提供している。
【００１１】
前記パイプおよび仕切材はアルミニウム系金属等の溶融金属を押出成形して設けており、前記パイプは中空部を囲む外周壁のみからなる断面円形、長円または楕円形状とし、前記仕切材は複数の仕切板を放射状に結合した形状または複数の仕切板を連結板から櫛歯を突設した形状としている。
前記放射状の仕切材は断面円形のパイプ内に装着し、前記櫛歯状の仕切材は断面長円形状または断面楕円形状のパイプ内に装着される。
また、各仕切板には径方向の中間位置に少なくとも１つの屈曲部を設けていることが好ましい。
さらに、パイプと仕切材は前記アルミニウム系金属等からなる同種金属で形成することが好ましい。
なお、軽量で、耐食性、加工性が優れる点でアルミニウム系金属が好適に用いられるが、ステンレス系や鉄系金属から形成し、外周面に樹脂コーティングしたり防錆塗料を塗布してもよい。
【００１２】
また、前記仕切材の仕切板により仕切られるパイプ内の挿通空間の個数は２個以上、好ましくは３個以上である。上限は限定されないが、多数とすると仕切材がパイプ内で占める割合が多くなり電線挿通空間が減少するため、分割される挿通空間は８個以下、好ましくは５個以下である。具体的には３〜４個が好ましい。
【００１３】
具体的には、３相の高圧電線を各１本づつ前記仕切材で仕切られた各電線挿通空間に通すことがこのましい。よって、ワイヤハーネスが前記３相の高圧電線のみからなる場合には、パイプ内を仕切材で３つの電線挿通空間に仕切っている。
また、例えば、前記３相の高圧電線と低電圧バッテリー回路の１本の低圧電線でワイヤハーネスを構成する場合、仕切材で４つの電線挿通空間に仕切り、３相の高圧電線をそれぞれ挿通空間に通し、低圧電線を１つの挿通空間に通している。
【００１４】
前記のように、本発明の金属製の仕切り付きパイプからなるワイヤハーネス用の外装材は、パイプと別に製造した仕切材をパイプの中空部に後入れして仕切付きパイプとしている。このように、パイプと仕切材とを一体に押出成形せず、別体で製造して後組みつけをすると、仕切材の肉厚をパイプの外周壁の肉厚より薄くでき、外部干渉材に対する保護材としてのパイプの保護機能と、パイプ内の電線挿通容積の減少を押さえながら電線挿通空間を分割して設けて電線のシールド性能を高めることができるシールド機能とを両立することができる。
かつ、パイプと仕切材とを別々に製造すると、製造時の難易度を下げることができ、管理が容易となる。さらに、パイプのみ又は仕切材のみを変更して仕様を変更でき、パイプと仕切材をそれぞれ汎用化できる。
【００１５】
前記仕切材で仕切られた複数の電線挿通空間に前記ワイヤハーネスの電線を分割して挿通し、該挿通した電線と仕切材とに粘着テープまたは結束バンドを巻き付けて固着し、該電線を保持した仕切材を前記パイプに挿通している。
【００１６】
具体的には、仕切材の長さ方向に間隔をあけて外周に巻付用切欠を設けることが好ましい。仕切板で仕切られた各電線挿通空間にワイヤハーネスの分割した電線を軸線方向に通した後、前記巻付用切欠を通して電線の外周に粘着テープまたは結束バンドを巻き付け、電線を仕切材に固着し、この状態でパイプに挿入するようにしている。
前記巻付用切欠は放射状の仕切材の場合、複数の仕切板の同一外周上に巻付用切欠を設けている。該巻付用切欠は連続押出成形した仕切材に後工程で打ち抜き加工することで所要の位置に簡単に設けることができる。
【００１７】
前記のように、本発明は、電線を保持した状態で仕切材をパイプに挿通している。このように、電線を仕切材で保持してパイプ内に通すため、電線のみの通線と異なり、挿通の途中で電線が折れ曲がって損傷が生じることはない。また、仕切材で仕切られた狭い空間に電線を通す作業を無くすことができ、パイプへの電線の挿通作業を容易とすることができる。
【００１８】
前記仕切材の各仕切板の外周先端を嵌め込む嵌合凹部を前記パイプの内周面に軸線方向に延在させて設けることが好ましい。
前記嵌合凹部に仕切板の突出端をはめ込むことで、パイプ内に仕切材を位置決めできる。例えば、仕切板が３つの場合、３つの嵌合凹部を設けている。
【００１９】
前記第１の本発明では、前記嵌合凹部を前記パイプの内周面に周方向に一定ピッチで設け、任意の位置の前記嵌合凹部に前記仕切板の外周端を嵌め込むようにし、これら嵌合凹部は両側面が開口側に向けて外広がりとなる台形状の凹部としている。
このように台形状の嵌合凹部とすると、仕切板の嵌め込み角度が相違しても対応することができ、仕切材をガタつきなくパイプ内に固定できる。
【００２０】
仕切材に電線を保持した状態で前記パイプ内に挿通し、この状態で、ワイヤハーネスの配索形態に応じてパイプを曲げ加工している。この曲げ加工時に仕切材が容易に曲がるように、前記のように、仕切材の各仕切板には径方向の中間位置に少なくとも１つの屈曲部を設けておくことが好ましい。該屈曲部を折れ支点として仕切材をスムーズに曲げ加工することができる。
【００２１】
第２の本発明では、複数本の電線からなるワイヤハーネスを挿通する金属製のパイプと、該パイプ内に挿入して組み付ける別体の金属製の仕切材を備え、
前記仕切材と前記パイプの外周壁とで仕切られる複数の電線挿通空間を該パイプの軸線方向に連続して設けており、
前記パイプの全長を絞り加工（スウェージング加工）または少なくとも長さ方向の両端を部分的に加締め加工し、該パイプの内周面に仕切材の外周端を圧接固定しているワイヤハーネス用の外装材としている。該第２の発明では、電線を保持した仕切材を前記パイプ内に挿通して位置決めした後に、仕切材をパイプ内に固定するため、前記パイプの全長を絞り加工（スウェージング加工）または少なくとも長さ方向の両端を部分的に加締め加工し、該パイプの内周面に仕切材の外周端を圧接固定している。
【００２２】
前記のように、スウェージング加工または部分加締め加工によりパイプ径を縮めることでパイプを仕切材と固定できる。かつ、パイプの外径のバラツキがあってもスウェージング加工をすると矯正できる。
【００２３】
また、前記パイプと仕切材とを固定した状態で、パイプの長さ方向の両端から仕切材を突出させ、該仕切材で保持した電線が前記パイプの端縁と接触しないようにしている。
これにより、パイプの端縁のエッジに電線が接触して損傷が生じるのを防止できる。
【００２４】
前記仕切材付きのパイプで外装したワイヤハーネスは、電気自動車またはハイブリッド自動車においてリア側床上からフロアパネルの貫通穴を通して車外の床下配索領域に配索し、フロント側床上のエンジンルーム内に配索し、
前記リア側床上でバッテリと接続すると共に前記エンジンルーム内のインバータと接続し、または前記ワイヤハーネスはリア側床上でインバータと接続すると共に前記エンジンルーム内の床上でモータと接続している。
【００２５】
なお、リア側床上から床下に配索し、自動車の長さ方向の中間位置で床上に配索する場合にも適用できる。
さらに、床下配索するワイヤハーネスに限定されず、外部干渉材から保護すると共にノイズ対策が必要であるワイヤハーネスの外装材とし適用できる。例えば、エンジンルーム内に配索する信号線を前記仕切材付きの金属パイプからなる外装材で外装してもよい。
【００２６】
本発明は、ワイヤハーネスへの前記外装材の装着方法を提供している。即ち、
前記仕切材で仕切られた空間にワイヤハーネスの分割した電線を挿通して、該電線と仕切材とをテープまたは結束バンドで固着し、
ついで、前記電線を保持した仕切材を前記パイプに挿通し、
ついで、パイプを絞り加工または部分加締め加工して前記仕切材とパイプとを固定し、  その後、ワイヤハーネスの配索形態に対応してパイプに曲げ加工を施すワイヤハーネスへの外装材の装着方法を提供している。
【発明の効果】
【００２７】
前述したように、本発明の金属製の仕切つきパイプからなるワイヤハーネス用の外装材は、パイプと仕切材とを別体とし、仕切材をパイプに通して一体化しているため、仕切材とパイプの肉厚を変えて、仕切材の厚さを薄くでき、パイプ内での電線挿通空間の容積の低減を防止できる。また、肉厚、外径等が相違するパイプと、仕切形状、肉厚等が相違する仕切材とを組み合わせることで、多様な外装材を設けることができ、挿通したワイヤハーネスに適した外装材とすることができる等の種々の利点を有する。
【図面の簡単な説明】
【００２８】
【図１】本発明の第１実施形態を示し、（Ａ）は概略全体側面図、（Ｂ）は（Ａ）のＢ−Ｂ線断面図である。
【図２】パイプを示し、（Ａ）は斜視図、（Ｂ）は正面図である。
【図３】仕切材を示し、（Ａ）は斜視図、（Ｂ）は正面図である。
【図４】巻付用切欠を設けた仕切材を示し、（Ａ）は斜視図、（Ｂ）は（Ａ）の要部拡大図である。
【図５】パイプに仕切材を挿通した状態を示す側面図である。
【図６】（Ａ）〜（Ｆ）はワイヤハーネスと仕切材とパイプの組付工程を示す図面である。
【図７】本発明の第２実施形態のパイプを示し、（Ａ）は斜視図、（Ｂ）は正面図、（Ｃ）は要部拡大断面図である。
【図８】（Ａ）（Ｂ）（Ｃ）は第２実施形態のパイプに種類の相違する仕切材を組み合わせた状態を示す図面である。
【図９】第２実施形態のパイプと仕切材の固定構造を示す側面図である。
【図１０】本発明の第３実施形態を示し、（Ａ）はパイプの正面図、（Ｂ）は仕切材の斜視図、（Ｃ）はパイプと仕切材との関係を示す正面図である。
【図１１】第３実施形態の仕切材にワイヤハーネスの電線を取り付けた状態を示す断面図である。
【図１２】従来例の断面図である。
【発明を実施するための形態】
【００２９】
以下、本発明の実施形態を図面を参照して説明する。
図１乃至図６に第１実施形態を示す。
本実施形態では、図１（Ａ）（Ｂ）に示すように、ハイブリッド自動車のリア側床上に搭載するバッテリ１とフロント側のエンジンルームに搭載するインバータ２との間に３相の高圧電線Ｗ１、Ｗ２、Ｗ３からなるワイヤハーネス３を配索し、前記リア側床上とフロント側床上との間の中間領域はフロアパネル４より下方に床下配線をしている。該床下配線領域Ｚ１の長さ方向の両端で上向きに曲げ、該上向き配線領域Ｚ２、Ｚ３をリア側のフロアパネル４に設けた貫通穴５に挿通し、フロント側はエンジンルームに配索している。
【００３０】
前記床下配線領域Ｚ１および、その両側の上向き配線領域Ｚ２、Ｚ３に連続して配索する前記ワイヤハーネス３を１本の連続した仕切材付きのパイプからなる外装材１０に挿通している。該外装材１０は金属製のパイプ１１内に同種金属からなる仕切材１２を挿入固定した構成としている。該パイプ１１および仕切材はいずれもアルミニウム系金属を溶融して連続押出成形して設けている。
【００３１】
前記仕切材１２は図３に示すように、３枚の仕切板１３（１３Ａ、１３Ｂ、１３Ｃ）を１２０度間隔をあけて放射状に結合した形状とし、パイプ１１の中空部１１ｂに装着した状態で、３枚の仕切板１３Ａ〜１３Ｃの外縁をパイプ１１の外周壁１１ａの内面に密着させ、仕切板１３と外周壁１１ａとで囲まれた３つの密閉された扇状の挿通空間Ｃ（Ｃ１、Ｃ２、Ｃ３）を設け、各挿通空間Ｃに前記高圧電線Ｗ１，Ｗ２，Ｗ３を１本づつ挿通している。
前記パイプ１１の肉厚ｔ１は仕切材１２の仕切板１３の肉厚ｔ２より厚くしている。
パイプ１１および仕切材１２は高圧電線Ｗ１〜Ｗ３から発生するノイズが外部へ拡散するのを防止するシールド機能を備え、パイプ１１は路面からの飛び石や路面接触から電線を保護する機能を担っている。
【００３２】
前記パイプ１１は連続押出成形で直管として製造している。図２に示すように、パイプ１１は断面円形の中空部１１ｂを円環形状の外周壁１１ａで囲む形状としている。
該パイプ１１の外周壁１１ａの内周面に１２０度間隔をあけて嵌合凹部１５を軸線方向の全長に設けている。該嵌合凹部１５は前記各仕切板１３の径方向外端がガタつき無く嵌合できる大きさとしている。
【００３３】
３枚の仕切板１３を放射状に連結した形状の仕切材１２は、前記のように押出成形して設けている。成形後に、図４に示すように、３枚の仕切板１３の径方向外端に長さ方向に間隔をあけて巻付用切欠１６を打抜加工で形成している。
【００３４】
図５に示すように、仕切材１２の全長はパイプ１１の全長より若干長くし、パイプ１１の長さ方向の両端縁１１ｅ、１１ｆから仕切材１２の長さ方向の両端が突出するようにしている。
また、パイプ１１の内径は仕切材１２の３枚の仕切板１３の外端を連続する仮想外径より僅かに大きくし、パイプ１１の中空部１１ｂに仕切材１２を容易に挿通できるようにしている。
【００３５】
次に、前記パイプ１１および仕切材１２からなる外装材１０で前記高圧電線Ｗ１〜Ｗ３を外装する方法について説明する。
まず、図６（Ａ）（Ｂ）に示すように、仕切材１２の仕切板１３Ａ〜１３Ｃで仕切られた３つの断面扇状の挿通空間Ｃ１〜Ｃ３にそれぞれ高圧電線Ｗ１〜Ｗ３を１本づつ挿通する。この電線の挿通は各挿通空間Ｃ１〜Ｃ３に軸線直角方向から横入れできるため電線の装着作業が容易となる。
【００３６】
ついで、図６（Ｃ）（Ｄ）に示すように、粘着テープ１８を３枚の仕切板１３の巻付用切欠１６に通すと共に前記高圧電線Ｗ１〜Ｗ３の外面に粘着させて巻き付け、仕切材１２に３本の高圧電線Ｗ１〜Ｗ３を固着保持する。その際、各挿通空間Ｃ１〜Ｃ３にそれぞれ挿通した高圧電線Ｗ１〜Ｗ３が挿通空間Ｃ１〜Ｃ３から外周へ飛び出さないようにする。
【００３７】
ついで、図６（Ｅ）に示すように、高圧電線Ｗ１〜Ｗ３を保持した仕切材１２をパイプ１１の長さ方向の一端から他端に向けて挿入する。その際、３枚の仕切板１３Ａ〜１３Ｃの径方向外端をパイプ１１の内面に設けた嵌合凹部１５に嵌合して軸線方向に挿入していく。パイプ１１に仕切材１２を装着した状態で、前記各挿通空間Ｃ１〜Ｃ３の外周側開口がパイプ１１の外周壁１１ａで閉鎖されるため、３つの密閉空間となり、該密閉空間にそれぞれ１本の高圧電線Ｗ１〜Ｗ３が分割して挿通された状態となる。
挿入する仕切材１２は、図６（Ｆ）に示すように、長さ方向の両端がパイプ１１の両端１１ｅ、１１ｆからそれぞれ若干突出した状態となるように装着する。
【００３８】
ついで、パイプ１１を長さ方向の一端１１ｅから他端１１ｆに向けて絞り加工（スウェージング加工）し、パイプ１１を縮径して仕切材１２の各仕切板１３の外面にパイプ１１の外周壁１１ａの内面を圧接固定し、前記図１（Ｂ）に示す構成とする。
【００３９】
図１（Ａ）に示すように、仕切付きパイプ１１は床下配線領域Ｚ１の前後両端で上向きに曲げ加工する必要がある。
よって、図６（Ｆ）に示すように、パイプ１１内に高圧電線Ｗ１〜Ｗ３を保持した仕切材１２を挿通固定した後、パイプ１１を曲げジグ（図示せず）を用いて曲げ加工している。
【００４０】
前記の工程で外装材１０で外装したワイヤハーネス３を図１（Ａ）に示すように、自動車に配索している。
【００４１】
図７乃至図９に第２実施形態を示す。
第２実施形態では図７に示すように、パイプ１１の外周壁１１ａの内周面に周方向に一定ピッチで多数の嵌合凹部１５を形成している。これら嵌合凹部１５は図７（Ｃ）に拡大して示すように、開口側に向けて外広がりとなる断面台形状とし、嵌合凹部１５の底面１５ａを挟む両側面１５ｂと１５ｃをテーパ状としている。
【００４２】
前記パイプ１１は、図８（Ａ）（Ｂ）（Ｃ）に示すように、複数の仕切材１２、２２、３２のいずれとも装着できるものとしている。仕切材１２は前記第１実施形態で用いる仕切材である。仕切材２２は４枚の仕切板２３を放射状に結合した形状とし、パイプ１１内を４つの挿通空間Ｃ１〜Ｃ４に仕切るものである。仕切材３２は４つの仕切板３３を放射状に結合した形状とし、各仕切板３３は径方向の中間位置に屈曲部３３ｐを設けている。
【００４３】
前記仕切材１２、２２、３２のいずれも、仕切板１３、２３、３３の径方向外端をパイプ１１の外周壁内面に設けた嵌合凹部１５に嵌合して位置決めしている。その際、仕切り板１３、２３、３３の嵌合凹部１５への挿入角度が相違しても、嵌合凹部１５のテーパ状とした側面に当接し、仕切板１３、２３、３３を嵌合凹部１５にガタ付きなく保持できるようにしている。
【００４４】
仕切材２２、３２はパイプ１１内を４つの挿通空間Ｃ１〜Ｃ４に仕切り、３つの挿通空間Ｃ１〜Ｃ３に第１実施形態と同様に高圧電線Ｗ１〜Ｗ３を分割して挿通し、残りの挿通空間Ｃ４に低電圧バッテリー用の１回路の低圧電線Ｗ４を挿通している。このように低圧電線Ｗ４を仕切板で高圧電線と仕切ることにより、低圧電線が高圧電線から受けるノイズを遮断または低減できる。
【００４５】
また、仕切材３２の各仕切板３３は径方向の中間位置に設けた屈曲部３３ｐで屈曲させている。このように、仕切板３３を予め屈曲させておくと、パイプ１１と共に仕切材３２を屈曲する際、屈曲部３３ｐが屈曲の起点となり仕切材３２をスムーズに曲げ加工することができる。
【００４６】
また、該第２実施形態では、仕切材２２、３２と電線との固着は粘着テープではなく、図８（Ａ）に示すように、結束バンド１９で行い、結束バンド１９を仕切板に設けた巻付用切欠に通して結束している。
さらに、パイプ１１と仕切材２２（１２、３２）との固定は、図９に示すように、パイプ１１の長さ方向の両端１１ｅ、１１ｆを部分的に加締めて縮径したカシメ部１１ｋを設け、パイプ１１と仕切材とを固定している。
他の構成および組立方法は第１実施形態と同様であるため、説明を省略する。
【００４７】
図１０および図１１に第３実施形態を示す。
第３実施形態では、図１０（Ａ）（Ｃ）に示すように、金属製のパイプ５１を断面長円形状としている。また、図１０（Ｂ）（Ｃ）に示すように、仕切材４２を櫛歯形状としている。
【００４８】
仕切材４２は、複数本の櫛歯４４の基端を連結部４３から平行に突出した形状としている。図１０（Ｃ）に示すように、連結部４３をパイプ５１の長尺方向の一方の内面５１ａに当接させると共に、連結部４３の両端をパイプ５１の内面に設けた嵌合凹部５１ｃに嵌合し、各櫛歯４４の突出端をパイプ５１の他方内面に設けた嵌合凹部５１ｂにそれぞれ嵌合させて位置決めしている。また、各櫛歯４４および連結部４３には長さ方向に間隔をあけて突出端から巻付用切欠４６、４７を設けている。
【００４９】
前記仕切材４２の櫛歯４４で仕切られた各挿通空間Ｃに、ワイヤハーネスを構成する電線Ｗ１〜Ｗ５を分割して挿通し、その後、粘着テープ１８を巻付用切欠４６、４７に通すと共に電線Ｗに巻き付けて電線Ｗ１〜Ｗ５を仕切材４２に固着保持している。このように、仕切材４２で電線Ｗを保持した後に第１、第２実施形態と同様にパイプ５１に挿通している。  他の構成および組みつけ工程は第１実施形態と同様であるため説明を省略する。
【符号の説明】
【００５０】
３  ワイヤハーネス
４  フロアパネル
１０  仕切り付きパイプからなる外装材
１１  パイプ
１２  仕切材
１３  仕切板
１５  嵌合凹部
１６  巻付用切欠
１８  粘着テープ
【図１】
0005811892.tif 000002
【図２】
0005811892.tif 000003
【図３】
0005811892.tif 000004
【図４】
0005811892.tif 000005
【図５】
0005811892.tif 000006
【図６】
0005811892.tif 000007
【図７】
0005811892.tif 000008
【図８】
0005811892.tif 000009
【図９】
0005811892.tif 000010
【図１０】
0005811892.tif 000011
【図１１】
0005811892.tif 000012
【図１２】
0005811892.tif 000013